【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
遊技媒体を用いて遊技者が所定の遊技を行うことが可能な遊技機であって、
制御を行う際に発生する変動データを記憶する遊技制御用変動データ記憶手段を有し、遊技の進行を制御する遊技制御用マイクロコンピュータと、
遊技機への電力供給が停止していても前記遊技制御用変動データ記憶手段の記憶内容を所定期間保持させることが可能な記憶内容保持手段と、
遊技機で使用される所定の電源の状態を監視して電源断の発生を検出したときに検出信号を出力する電源監視手段と、
前記遊技制御用マイクロコンピュータが信号を出力するための遊技制御用出力ポートと、を含み、
前記遊技制御用マイクロコンピュータは、遊技媒体が入賞しやすい開状態と入賞しにくい閉状態とのいずれかに変化可能な可変入賞装置を制御し、
前記遊技制御用マイクロコンピュータは、前記検出信号の入力に応じて、制御状態を前記遊技制御用変動データ記憶手段に保存させるための処理を含む遊技制御用電力供給停止時処理を実行し、前記遊技制御用電力供給停止時処理において、前記遊技制御用出力ポートに出力された信号をクリアする出力ポートクリア処理と、バックアップフラグを前記遊技制御用変動データ記憶手段に設定するバックアップフラグ設定処理と、前記遊技制御用変動データ記憶手段の記憶内容が正常か否かの判定に用いるチェックデータの作成処理とを実行し、前記バックアップフラグ設定処理および前記作成処理を実行する前に、前記出力ポートクリア処理を実行し、
前記遊技制御用マイクロコンピュータは、前記出力ポートクリア処理によって、前記可変入賞装置が前記開状態であるときには前記閉状態とさせ、
前記遊技制御用マイクロコンピュータは、
電力供給が開始されたときに、前記バックアップフラグが前記遊技制御用変動データ記憶手段に設定されているか否かの判定を実行し、
前記バックアップフラグが前記遊技制御用変動データ記憶手段に設定されていないと判定されたときには、前記チェックデータにもとづく前記遊技制御用変動データ記憶手段の記憶内容が正常か否かの判定を行うことなく、前記遊技制御用変動データ記憶手段の記憶内容を初期化し、
前記バックアップフラグが前記遊技制御用変動データ記憶手段に設定されていると判定されたときに、前記チェックデータにもとづいて前記遊技制御用変動データ記憶手段の記憶内容が正常か否かの判定を実行し、
前記遊技制御用変動データ記憶手段の記憶内容が正常でないと判定されたときには、前記遊技制御用変動データ記憶手段の記憶内容を初期化し、
前記遊技制御用変動データ記憶手段の記憶内容が正常であると判定されたことを条件に、前記遊技制御用変動データ記憶手段に保存されていた記憶内容にもとづいて制御状態を前記遊技制御用電力供給停止時処理を開始したときの状態に復旧させる遊技制御用状態復旧制御を実行する
ことを特徴とする遊技機。
【請求項２】
遊技媒体を用いて遊技者が所定の遊技を行うことが可能な遊技機であって、
制御を行う際に発生する変動データを記憶する払出制御用変動データ記憶手段を有し、遊技媒体の払出の制御を行う払出制御用マイクロコンピュータと、
遊技機への電力供給が停止していても前記払出制御用変動データ記憶手段の記憶内容を所定期間保持させることが可能な記憶内容保持手段と、
遊技機で使用される所定の電源の状態を監視して電源断の発生を検出したときに検出信号を出力する電源監視手段と、を含み、
前記払出制御用マイクロコンピュータは、遊技媒体を払い出す払出手段を制御し、
前記払出制御用マイクロコンピュータは、前記検出信号の入力に応じて、制御状態を前記払出制御用変動データ記憶手段に保存させるための処理を含む払出制御用電力供給停止時処理を実行し、前記払出制御用電力供給停止時処理において、前記払出手段による遊技媒体の払い出しを停止させる払出停止処理と、バックアップフラグを前記払出制御用変動データ記憶手段に設定するバックアップフラグ設定処理と、前記払出制御用変動データ記憶手段の記憶内容が正常か否かの判定に用いるチェックデータの作成処理とを実行し、前記バックアップフラグ設定処理および前記作成処理を実行する前に、前記払出停止処理を実行し、
前記払出制御用マイクロコンピュータは、
電力供給が開始されたときに、前記バックアップフラグが前記払出制御用変動データ記憶手段に設定されているか否かの判定を実行し、
前記バックアップフラグが前記払出制御用変動データ記憶手段に設定されていないと判定されたときには、前記チェックデータにもとづく前記払出制御用変動データ記憶手段の記憶内容が正常か否かの判定を行うことなく、前記払出制御用変動データ記憶手段の記憶内容を初期化し、
前記バックアップフラグが前記払出制御用変動データ記憶手段に設定されていると判定されたときに、前記チェックデータにもとづいて前記払出制御用変動データ記憶手段の記憶内容が正常か否かの判定を実行し、
前記払出制御用変動データ記憶手段の記憶内容が正常でないと判定されたときには、前記払出制御用変動データ記憶手段の記憶内容を初期化し、
前記払出制御用変動データ記憶手段の記憶内容が正常であると判定されたことを条件に、前記払出制御用変動データ記憶手段に保存されていた記憶内容にもとづいて制御状態を前記払出制御用電力供給停止時処理を開始したときの状態に復旧させる払出制御用状態復旧制御を実行する
ことを特徴とする遊技機。
【手続補正２】
【補正対象書類名】明細書
【補正対象項目名】００１１
【補正方法】変更
【補正の内容】
【００１１】
本発明による遊技機は、遊技媒体を用いて遊技者が所定の遊技を行うことが可能な遊技機であって、制御を行う際に発生する変動データを記憶する遊技制御用変動データ記憶手段を有し、遊技の進行を制御する遊技制御用マイクロコンピュータと、遊技機への電力供給が停止していても遊技制御用変動データ記憶手段の記憶内容を所定期間保持させることが可能な記憶内容保持手段と、遊技機で使用される所定の電源の状態を監視して電源断の発生を検出したときに検出信号を出力する電源監視手段と、遊技制御用マイクロコンピュータが信号を出力するための遊技制御用出力ポートと、を含み、遊技制御用マイクロコンピュータは、遊技媒体が入賞しやすい開状態と入賞しにくい閉状態とのいずれかに変化可能な可変入賞装置を制御し、遊技制御用マイクロコンピュータは、検出信号の入力に応じて、制御状態を遊技制御用変動データ記憶手段に保存させるための処理を含む遊技制御用電力供給停止時処理を実行し、遊技制御用電力供給停止時処理において、遊技制御用出力ポートに出力された信号をクリアする出力ポートクリア処理と、バックアップフラグを遊技制御用変動データ記憶手段に設定するバックアップフラグ設定処理と、遊技制御用変動データ記憶手段の記憶内容が正常か否かの判定に用いるチェックデータの作成処理とを実行し、バックアップフラグ設定処理および作成処理を実行する前に、出力ポートクリア処理を実行し、遊技制御用マイクロコンピュータは、出力ポートクリア処理によって、可変入賞装置が開状態であるときには閉状態とさせ、遊技制御用マイクロコンピュータは、電力供給が開始されたときに、バックアップフラグが遊技制御用変動データ記憶手段に設定されているか否かの判定を実行し、バックアップフラグが遊技制御用変動データ記憶手段に設定されていないと判定されたときには、チェックデータにもとづく遊技制御用変動データ記憶手段の記憶内容が正常か否かの判定を行うことなく、遊技制御用変動データ記憶手段の記憶内容を初期化し、バックアップフラグが遊技制御用変動データ記憶手段に設定されていると判定されたときに、チェックデータにもとづいて遊技制御用変動データ記憶手段の記憶内容が正常か否かの判定を実行し、遊技制御用変動データ記憶手段の記憶内容が正常でないと判定されたときには、遊技制御用変動データ記憶手段の記憶内容を初期化し、遊技制御用変動データ記憶手段の記憶内容が正常であると判定されたことを条件に、遊技制御用変動データ記憶手段に保存されていた記憶内容にもとづいて制御状態を遊技制御用電力供給停止時処理を開始したときの状態に復旧させる遊技制御用状態復旧制御を実行することを特徴とする。
【手続補正３】
【補正対象書類名】明細書
【補正対象項目名】００１２
【補正方法】変更
【補正の内容】
【００１２】
また、本発明による遊技機は、遊技媒体を用いて遊技者が所定の遊技を行うことが可能な遊技機であって、制御を行う際に発生する変動データを記憶する払出制御用変動データ記憶手段を有し、遊技媒体の払出の制御を行う払出制御用マイクロコンピュータと、遊技機への電力供給が停止していても払出制御用変動データ記憶手段の記憶内容を所定期間保持させることが可能な記憶内容保持手段と、遊技機で使用される所定の電源の状態を監視して電源断の発生を検出したときに検出信号を出力する電源監視手段と、を含み、払出制御用マイクロコンピュータは、遊技媒体を払い出す払出手段を制御し、払出制御用マイクロコンピュータは、検出信号の入力に応じて、制御状態を払出制御用変動データ記憶手段に保存させるための処理を含む払出制御用電力供給停止時処理を実行し、払出制御用電力供給停止時処理において、払出手段による遊技媒体の払い出しを停止させる払出停止処理と、バックアップフラグを払出制御用変動データ記憶手段に設定するバックアップフラグ設定処理と、払出制御用変動データ記憶手段の記憶内容が正常か否かの判定に用いるチェックデータの作成処理とを実行し、バックアップフラグ設定処理および作成処理を実行する前に、払出停止処理を実行し、払出制御用マイクロコンピュータは、電力供給が開始されたときに、バックアップフラグが払出制御用変動データ記憶手段に設定されているか否かの判定を実行し、バックアップフラグが払出制御用変動データ記憶手段に設定されていないと判定されたときには、チェックデータにもとづく払出制御用変動データ記憶手段の記憶内容が正常か否かの判定を行うことなく、払出制御用変動データ記憶手段の記憶内容を初期化し、バックアップフラグが払出制御用変動データ記憶手段に設定されていると判定されたときに、チェックデータにもとづいて払出制御用変動データ記憶手段の記憶内容が正常か否かの判定を実行し、払出制御用変動データ記憶手段の記憶内容が正常でないと判定されたときには、払出制御用変動データ記憶手段の記憶内容を初期化し、払出制御用変動データ記憶手段の記憶内容が正常であると判定されたことを条件に、払出制御用変動データ記憶手段に保存されていた記憶内容にもとづいて制御状態を払出制御用電力供給停止時処理を開始したときの状態に復旧させる払出制御用状態復旧制御を実行することを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
以上のように、本発明によれば、記憶内容保持手段によって変動データ記憶手段に保存される制御状態と実際の制御状態とが一致することが保証されるので、適切な制御状態を保存できるという効果がある。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】